(57)【要約】【課題】比較的簡易な構成で、ノイズの発生源となっている制御ユニットを特定できるノイズ診断システムを提供する。【解決手段】制御ユニットと、制御ユニットの動作状態を、予め定められた動作モードである第一モードと、第一モードとは異なる動作モードである第二モードの間で切替制御する動作制御部と、制御ユニットを、これら２つの動作モードで動作させたときに、予め定められた周波数帯に発生したノイズを測定するノイズ測定部と、２つの動作モードにおけるノイズの測定結果の比較に基づいて、制御ユニットによるノイズの発生状態を診断する診断部と、を備える。【選択図】図１
2016208270.tif 000002
【特許請求の範囲】
【請求項１】
制御ユニットと、
前記制御ユニットの動作状態を、予め定められた動作モードである第一モードと、前記第一モードとは異なる動作モードである第二モードの間で切替制御する動作制御部と、
前記制御ユニットを、これら２つの動作モードで動作させたときに、予め定められた周波数帯に発生したノイズを測定するノイズ測定部と、
前記２つの動作モードにおけるノイズの測定結果の比較に基づいて、前記制御ユニットによるノイズの発生状態を診断する診断部と、
を備えることを特徴とするノイズ診断システム。
【請求項２】
前記制御ユニットを複数備え、
前記動作制御部は、
前記複数の制御ユニットから、診断の対象とする制御ユニットを１つ定め、
診断の対象としない制御ユニットの全てを、前記第一モードおよび前記第二モードのうちのいずれかの同じ動作モードで動作させ、かつ、
前記診断の対象とする制御ユニットを、前記第一モードおよび前記第二モードで動作させ、
前記ノイズ測定部は、前記診断の対象とする制御ユニットを、前記２つの動作モードで動作させたときに発生したノイズを測定する請求項１に記載のノイズ診断システム。
【請求項３】
外部電源を前記制御ユニットへ供給する外部電源供給部を備え、
前記動作制御部は、前記外部電源供給部の状態を切替制御し、
前記制御ユニットへ前記外部電源を供給する動作モードと、前記制御ユニットへ前記外部電源を供給しない動作モードのうちのいずれか一方を前記第一モードとしたとき、他方を前記第二モードとする請求項１または請求項２に記載のノイズ診断システム。
【請求項４】
外部電源を前記制御ユニットへ供給する外部電源供給部を備え、
前記制御ユニットは、
前記外部電源から内部電源を生成する内部電源回路と、
前記制御ユニットを動作制御するための演算を行う演算部と、
前記内部電源回路から、少なくとも前記演算部に前記内部電源を供給する内部電源供給部と、を含み、
前記動作制御部は、前記内部電源供給部の状態を切替制御し、
前記演算部に前記内部電源を供給する動作モードと、前記演算部に前記内部電源を供給しない動作モードのうちのいずれか一方を前記第一モードとしたとき、他方を前記第二モードとする請求項１または請求項２に記載のノイズ診断システム。
【請求項５】
前記制御ユニットは、
前記制御ユニットを動作制御するための演算を行う演算部と、
前記演算部に予め定められた第一周波数のクロック信号を供給するクロック信号供給部と、
前記演算部に、前記第一周波数とは異なる第二周波数のサブクロック信号を供給するサブクロック信号供給部と、
を含み、
前記動作制御部は、前記演算部に、前記クロック信号と前記サブクロック信号のうちの一方が供給されるよう切替制御し、
前記演算部に前記クロック信号が供給される動作モードと、前記演算部に前記サブクロック信号が供給される動作モードのうちのいずれか一方を前記第一モードとしたとき、他方を前記第二モードとする請求項１または請求項２に記載のノイズ診断システム。
【発明の詳細な説明】
【技術分野】
【０００１】
本発明は、制御ユニットにおける、例えば、ラジオノイズのようなノイズの発生を診断するノイズ診断システムに関する。
【背景技術】
【０００２】
特に、車両のＥＣＵに代表される、マイコン（マイクロコンピュータ）の制御により動作する制御ユニットは、マイコンおよび周辺回路を動作させるためのクロック発振回路を備える。クロック発振回路の信号（基本波あるいは高調波）が漏洩して、ラジオ放送帯からテレビのローチャンネル（１〜３ｃｈなど）に雑音（ラジオノイズ、放射ノイズ）として影響を与えることがある。
【０００３】
そこで、制御ユニット内のマイコンに接続された信号線と接地との間に可変容量回路を設け、可変容量回路の容量を調整することで、信号線およびその周辺回路と他の信号線との線間容量と、信号線およびその周辺回路のインダクタンス分による共振周波数を、ラジオ等の他の装置が使用中の周波数と異なるものとし、該周波数に対するノイズの発生を低減する電子装置が考案されている（特許文献１参照）。
【先行技術文献】
【特許文献】
【０００４】
【特許文献１】特開２０１４−０８２７４８号公報
【発明の概要】
【発明が解決しようとする課題】
【０００５】
特許文献１のように、制御ユニット側でラジオノイズ対策が講じられていても、制御ユニット、特に、可変容量回路のようなノイズ対策用コンデンサの経年変化により、ラジオノイズが発生することがある。車両では、数多くの制御ユニットが搭載されているので、ラジオノイズが発生する確率が高くなることもある。
【０００６】
そこで、ラジオノイズの発生源となっている制御ユニットを特定（ノイズ診断）する必要がある。例えば、車両では、従来は、診断対象の制御ユニットを、車両に取り付けた状態と車両から取り外した状態で、ラジオノイズの大きさを人間の聴覚で比較確認していた。この方法では、少なくとも、制御ユニットから電源系のケーブルを取り外す必要がある。しかし、車両のように、ドア、センターコンソール、ダッシュパネルの内部に取り付けられた制御ユニットは、該ケーブルを取り外す作業に手間がかかる。このため、ラジオノイズの発生源を特定するのは、容易ではない。
【０００７】
上記問題点を背景として、本発明は、比較的簡易な構成で、ノイズの発生源となっている制御ユニットを特定できるノイズ診断システムを提供することを目的とする。
【課題を解決するための手段】
【０００８】
上記課題を解決するためのノイズ診断システムは、制御ユニットと、制御ユニットの動作状態を、予め定められた動作モードである第一モードと、第一モードとは異なる動作モードである第二モードの間で切替制御する動作制御部と、制御ユニットを、これら２つの動作モードで動作させたときに、予め定められた周波数帯に発生したノイズを測定するノイズ測定部と、２つの動作モードにおけるノイズの測定結果の比較に基づいて、制御ユニットによるノイズの発生状態を診断する診断部と、を備える。
【発明の効果】
【０００９】
上記構成によって、制御ユニットを取り外すことなく、ラジオノイズの測定を行うことができ、取り外しのための工数を削減できる。また、ラジオノイズが基準を満たすか否かを診断できる。
【図面の簡単な説明】
【００１０】
【図１】ノイズ診断システムの構成を示すブロック図（実施例１）。
【図２】ノイズ診断処理を説明するフロー図。
【図３】ノイズ診断システムの構成の別例を示すブロック図（実施例２）。
【図４】ノイズ診断システムの構成の別例を示すブロック図（実施例３）。
【発明を実施するための形態】
【実施例１】
【００１１】
図１のように、ノイズ診断システム１は、診断ツール１０と、診断ツール１０に接続されたラジオ２０を含む。診断ツール１０とラジオ２０とを一体的に構成してもよい。また、診断ツール１０には、ＥＣＵ３０（本発明の制御ユニット）が接続される。診断ツール１０にＥＣＵ（４０、５０）を複数接続した構成でもよい。これらＥＣＵ（４０、５０）の構成は、ＥＣＵ３０と同様である。
【００１２】
上述の診断ツール１０にＥＣＵを複数接続した構成が、「制御ユニットを複数備え、動作制御部は、複数の制御ユニットから、診断の対象とする制御ユニットを１つ定め、診断の対象としない制御ユニットの全てを、第一モードおよび第二モードのうちのいずれかの同じ動作モードで動作させ、かつ、診断の対象とする制御ユニットを、第一モードおよび第二モードで動作させ、ノイズ測定部は、診断の対象とする制御ユニットを、２つの動作モードで動作させたときに発生したノイズを測定する」ものである。
【００１３】
上記構成によって、制御ユニットが複数ある場合でも、制御ユニットを取り外すことなく、ラジオノイズの測定を行うことができ、取り外しのための工数を削減できる。例えば、診断の対象とする制御ユニットのみ動作を停止したとき、ラジオノイズが減少すれば、この制御ユニットからラジオノイズが発生していることが分かる。つまり、ラジオノイズの発生源を特定できる。このように、複数の制御ユニットについて１つずつ、ラジオノイズを測定するので、制御ユニット毎に、ラジオノイズの基準を満たすか否かを診断できる。
【００１４】
診断ツール１０は、マイコン、メモリ、および周辺回路（いずれも図示せず）を含むコンピュータである制御部１１（本発明の動作制御部、診断部）、制御部１１に接続された、信号入出力回路であるＩ／Ｆ１２、ユーザが操作する操作部１３、例えばＬＣＤ等の表示部１４を備える。制御部１１のメモリに記憶された診断プログラムを実行することで、ＥＣＵ３０のノイズ診断を行う。
【００１５】
診断ツール１０は、Ｉ／Ｆ１２を介して、ラジオ２０とのデータ通信を行うことができる。
【００１６】
診断ツール１０には、以下のうちの少なくとも一方の切替回路（１５、３５：本発明の外部電源供給部）が接続される。これらの切替回路の構成は同一で、診断ツール１０とは、ＬＡＮ等の通信線、あるいは「じか線」を介して接続される。診断ツール１０からの制御信号に基づいて、トランジスタ（Ｔｒ２、Ｔｒ２１：本発明の外部電源供給部）の状態を切り替えて、バッテリーＢからの１２Ｖ電源の、ＥＣＵ３０への供給／遮断を行う。
【００１７】
なお、診断ツール１０とＥＣＵ（３０、４０、５０）を通信線で接続して多重通信を行う構成のときは、診断ツール１０から送信する通信信号には、送信先のＥＣＵの識別情報、および動作モード（第一あるいは第二、詳細は後述）を含む。切替回路（１５、３５）は、受信した通信信号に含まれるＥＣＵの識別情報が、自己の識別情報と同一か否かを判定する回路、および動作モードを判別する回路（あるいは、機能）を含む。また、診断ツール１０とＥＣＵ（３０、４０、５０）を、それぞれ「じか線」で接続する構成のときは、診断ツール１０から送信する通信信号は、動作モード、あるいは、トランジスタのオン／オフの制御信号を含む。
【００１８】
トランジスタＴｒ２は、バッテリーＢ（本発明の外部電源）とＥＣＵ３０との間の電源線１６に接続され、診断ツール１０からの制御信号に基づいて、切替回路１５がトランジスタＴｒ２のオン／オフを切り替える。トランジスタＴｒ２１は、ＥＣＵ３０の内部の外部電源線３６に接続され、診断ツール１０からの制御信号に基づいて、切替回路３５がトランジスタＴｒ２１のオン／オフを切り替える。
【００１９】
ラジオ２０は、ラジオノイズ測定部２１、およびフラッシュメモリのような不揮発性記憶媒体を用いた記憶部２２を備える。ラジオノイズ測定部２１は、例えば、受信した信号を、信号分離部によって伝送内容信号（Ｓ）とノイズ信号（Ｎ）とに分離し、これらの比を、Ｓ／Ｎ比（ラジオノイズ）とする。記憶部を診断ツールに設けてもよい。
【００２０】
ＥＣＵ３０は、マイコン３１（メモリ、周辺回路を含む：本発明の演算部）、少なくともマイコン３１にクロック信号を供給する発振回路３２、信号入出力回路であるＩ／Ｆ３３、電源回路３７（本発明の内部電源回路）を備える。
【００２１】
電源回路３７は、バッテリーＢからの１２Ｖ電源を例えば５Ｖに降圧して、マイコン３１などに供給する。電源回路３７は、外部電源線３６と内部電源線３８との間に接続された電流制限用抵抗Ｒ１、内部電源線３８と接地との間に接続された、一定の内部電源電圧（例えば、５Ｖ）を発生するためのツェナーダイオードＤ１、および内部電源電圧を安定化させるための入出力コンデンサであるコンデンサＣ２を含む。また、ラジオノイズ防止用のコンデンサＣ１を、内部電源線３８と接地との間に接続してもよい。コンデンサＣ１の静電容量は、ラジオノイズを低減するように設定する。
【００２２】
ＥＣＵ３０は、マイコン３１がメモリ（図示せず）に記憶されたＥＣＵ制御プログラムを実行することで、所定の機能の動作制御を行う。図１の例では、Ｉ／Ｆ３３を介して取得したセンサ群３４の状態に基づいて、トランジスタＴｒ１のオン／オフの制御を行い、ＬＥＤ等の発光部Ｌ１の点灯制御を行う。
【００２３】
図２に、診断ツール１０の制御部１１で実行する、ノイズ診断処理を示す。まず、ユーザが操作部１３で所定の操作を行い、診断を開始する（Ｓ１１）。次に、診断の対象とする最初のＥＣＵ（例えば、ＥＣＵ３０）を設定する（Ｓ１２）。
【００２４】
次に、診断ツール１０に接続された全てのＥＣＵ（例えば、ＥＣＵ３０〜５０）を第一モードで動作させる（Ｓ１３）。そして、ラジオ２０に対し、ラジオノイズ測定部２１で、この状態で発生したラジオノイズを測定し、記憶部２２に記憶するよう指令を送る（Ｓ１４）。
【００２５】
次に、診断の対象とするＥＣＵ（例えば、ＥＣＵ３０）のみを、第二モードで動作させる（Ｓ１５）。他の（診断の対象としない）ＥＣＵ（例えば、ＥＣＵ４０、５０）は、第一モードで動作させる。そして、ラジオ２０に対し、ラジオノイズ測定部２１で、この状態で発生したラジオノイズを測定し、記憶部２２に記憶するよう指令を送る（Ｓ１６）。
【００２６】
ラジオノイズの測定は、一つの周波数（例えば、周波数帯を代表する周波数）についてラジオノイズを測定してもよいし、予め定められた複数の周波数についてラジオノイズを測定してもよい。また、地域あるいは仕向地で聴取可能な放送局の周波数についてラジオノイズを測定してもよい。これにより、ノイズ診断に要する時間を短縮できる。
【００２７】
次に、ラジオ２０から、記憶部２２に記憶した、２つのラジオノイズの測定結果を取得し、これらの測定結果の比較を行う（Ｓ１７）。
【００２８】
比較の結果、両者の差が所定値を上回るとき（Ｓ１８：Ｙｅｓ）、表示部１４に診断結果が異常である旨の表示を行う（Ｓ１９）。一方、両者の差が所定値を下回るとき（Ｓ１８：Ｎｏ）、表示部１４に診断結果が正常である旨の表示を行う（Ｓ２２）。
【００２９】
診断結果と合わせて、例えば、診断した周波数、２つのラジオノイズの測定結果、および診断結果を表示してもよい。
【００３０】
次に、診断ツール１０に接続された全てのＥＣＵについてノイズ診断を実施したか否かを判定する。全てのＥＣＵについてノイズ診断を実施したとき（Ｓ２０：Ｙｅｓ）、本処理を終了する。一方、未診断のＥＣＵ（例えば、ＥＣＵ４０、５０）があるとき（Ｓ２０：Ｎｏ）、該ＥＣＵを次の診断対象として設定し、ステップＳ１３以降の処理を実行する。
【００３１】
図１の構成では、第一モードおよび第二モードを、以下のように定める。
・第一モード：ＥＣＵへバッテリーＢからの１２Ｖ電源を供給する。すなわち、切替回路（１５または３５）に、トランジスタ（Ｔｒ２またはＴｒ２１）をオン状態にさせる。
・第二モード：ＥＣＵへの、バッテリーＢからの１２Ｖ電源の供給を遮断する。すなわち、切替回路（１５または３５）に、トランジスタ（Ｔｒ２またはＴｒ２１）をオフ状態にさせる。
【００３２】
上述の構成では、まず、全てのＥＣＵに１２Ｖ電源を供給して（第一モード）、ノイズレベルを測定する（Ｓ１３、Ｓ１４）。次に、診断の対象とするＥＣＵのみ１２Ｖ電源の供給を遮断して（第二モード）（他のＥＣＵは１２Ｖ電源を供給）、ノイズレベルを測定する（Ｓ１５、Ｓ１６）。そして、これら２つのノイズレベルを比較することで、診断の対象とするＥＣＵのノイズを診断できる（Ｓ１７）。
【００３３】
また、以下のように、第一モードおよび第二モードを定めてもよい。
・第一モード：ＥＣＵへの、バッテリーＢからの１２Ｖ電源の供給を遮断する。
・第二モード：ＥＣＵへバッテリーＢからの１２Ｖ電源を供給する。
【００３４】
上述の構成では、まず、全てのＥＣＵへの１２Ｖ電源の供給を遮断して（第一モード）、ノイズレベルを測定する（Ｓ１３、Ｓ１４）。次に、診断の対象とするＥＣＵのみに１２Ｖ電源を供給して（第二モード）（他のＥＣＵは１２Ｖ電源の供給を遮断）、ノイズレベルを測定する（Ｓ１５、Ｓ１６）。そして、これら２つのノイズレベルを比較することで、診断の対象とするＥＣＵのノイズを診断できる（Ｓ１７）。
【００３５】
なお、全てのＥＣＵへの１２Ｖ電源の供給を遮断しているときは、ノイズレベルはゼロと見なしてよいので、診断対象ＥＣＵのみに１２Ｖ電源を供給したときに測定したノイズレベルが、予め定められた閾値を上回るとき、診断結果が異常と判定してもよい。
【００３６】
実施例１の構成が、「外部電源を制御ユニットへ供給する外部電源供給部を備え、動作制御部は、外部電源供給部の状態を切替制御し、制御ユニットへ外部電源を供給する動作モードと、制御ユニットへ外部電源を供給しない動作モードのうちのいずれか一方を第一モードとしたとき、他方を第二モードとする」ものである。
【００３７】
制御ユニットに対する外部電源の供給を遮断することは、制御ユニットを取り外したこと、あるいは制御ユニットから電源ケーブルを取り外したことと同じである。上記構成によって、制御ユニットあるいは電源ケーブルを取り外すことなく、該制御ユニットのノイズレベルを測定できる。また、ラジオノイズが基準を満たすか否かを診断できる。
【実施例２】
【００３８】
図３に、ノイズ診断システムの構成の別例を示す。本実施例は、図１の変形例であるため、図１と同様の構成については同一の符号を付与し、ここでの詳細な説明は割愛する。
【００３９】
図３の構成では、図１のような、１２Ｖ電源の供給／遮断を切り替える切替回路を用いない。代わりに、ＥＣＵ３０において、マイコン３１と電源回路３７（本発明の内部電源回路）との間の内部電源線３８に接続されたトランジスタＴｒ３と、トランジスタＴｒ３のオン／オフを切り替える切替回路３９（本発明の内部電源供給部）を備える。切替回路３９と診断ツール１０との通信については、概ね、切替回路（１５、３５）と同様である。
【００４０】
図３の構成では、第一モードおよび第二モードを、以下のように定める。
・第一モード：マイコン３１へ電源回路３７からの５Ｖ電源を供給する。すなわち、切替回路３９に、トランジスタＴｒ３をオン状態にさせる。
・第二モード：マイコン３１への、電源回路３７からの５Ｖ電源の供給を遮断する。すなわち、切替回路３９に、トランジスタＴｒ３をオフ状態にさせる。
【００４１】
上述の構成におけるノイズ診断処理は、まず、全てのＥＣＵにおいて、マイコンに５Ｖ電源を供給して（第一モード）、ノイズレベルを測定する（Ｓ１３、Ｓ１４）。次に、診断の対象とするＥＣＵのみ、マイコンへの５Ｖ電源の供給を遮断して（第二モード）（他のＥＣＵのマイコンには５Ｖ電源を供給）、ノイズレベルを測定する（Ｓ１５、Ｓ１６）。そして、これら２つのノイズレベルを比較することで、診断の対象とするＥＣＵのノイズを診断できる（Ｓ１７）。
【００４２】
また、以下のように、第一モードおよび第二モードを定めてもよい。
・第一モード：マイコン３１への、電源回路３７からの５Ｖ電源の供給を遮断する。
・第二モード：マイコン３１へ電源回路３７からの５Ｖ電源を供給する。
【００４３】
上述の構成におけるノイズ診断処理は、まず、全てのＥＣＵにおいて、マイコンへの５Ｖ電源の供給を遮断して（第一モード）、ノイズレベルを測定する（Ｓ１３、Ｓ１４）。次に、診断対象ＥＣＵのみ、マイコンに５Ｖ電源を供給して（第二モード）（他のＥＣＵのマイコンは５Ｖ電源の供給を遮断）、ノイズレベルを測定する（Ｓ１５、Ｓ１６）。そして、これら２つのノイズレベルを比較することで、診断の対象とするＥＣＵのノイズを診断できる（Ｓ１７）。なお、全てのＥＣＵで、マイコンへの５Ｖ電源の供給を遮断しているときは、ノイズレベルはゼロと見なしてよいので、診断対象ＥＣＵのみ、マイコンに電源を供給したときに測定したノイズレベルが、予め定められた閾値を上回るとき、診断結果が異常と判定してもよい。
【００４４】
実施例２の構成が、「外部電源を制御ユニットへ供給する外部電源供給部を備え、制御ユニットは、外部電源から内部電源を生成する内部電源回路と、制御ユニットを動作制御するための演算を行う演算部と、内部電源回路から、少なくとも演算部に内部電源を供給する内部電源供給部と、を含み、動作制御部は、内部電源供給部の状態を切替制御し、演算部に内部電源を供給する動作モードと、演算部に内部電源を供給しない動作モードのうちのいずれか一方を第一モードとしたとき、他方を第二モードとする」ものである。
【００４５】
一般的に、制御ユニットは、接続されたセンサあるいはスイッチの状態に基づいて、マイコン等の演算部にて所定の演算を行い、アクチュエータの駆動制御を行う。ラジオノイズの主たる発生源と考えられるのは、アクチュエータの駆動部（ドライバ回路）である。演算部に内部電源が供給されないと、アクチュエータは動作しないので、ラジオノイズは発生しないか、発生してもノイズレベルは低いと考えられる。上記構成によって、制御ユニットあるいは電源ケーブルを取り外すことなく、該制御ユニットのノイズレベルを測定できる。また、ラジオノイズが基準を満たすか否かを診断できる。
【実施例３】
【００４６】
図４に、ノイズ診断システムの構成の別例を示す。本実施例は、図１の変形例であるため、図１と同様の構成については同一の符号を与え、ここでの詳細な説明は割愛する。
【００４７】
図４の構成では、図１のような、１２Ｖ電源の供給／遮断を切り替える切替回路を用いない。代わりに、ＥＣＵ３０において、マイコン３１の内部にサブ発振回路３１ａ（本発明のサブクロック信号供給部）と、発振切替回路３１ｂを設ける。発振回路３２（本発明のクロック信号供給部）の発振周波数（本発明の第一周波数）は４ＭＨｚ、サブ発振回路３１ａの発振周波数（本発明の第二周波数）は１０ＫＨｚとする。つまり、サブ発振回路３１ａの発振周波数は、発振回路３２の発振周波数よりも十分低くなるように設定する。また、マイコン３１へは、発振切替回路３１ｂによって、同時に２つの発振回路からクロック信号が供給されないようになっている。
【００４８】
マイコン３１の構成によっては、発振切替回路３１ｂを備えず、ＥＣＵ制御プログラム内で、いずれの発振回路を用いるかを選択することができる。
【００４９】
図４の構成では、第一モードおよび第二モードを、以下のように定める。
・第一モード：発振回路３２からマイコン３１へクロック信号を供給する。
・第二モード：サブ発振回路３１ａからマイコン３１へサブクロック信号を供給する。
【００５０】
上述の構成におけるノイズ診断処理は、まず、全てのＥＣＵにおいて、発振回路３２からマイコン３１へクロック信号を供給して（第一モード）、ノイズレベルを測定する（Ｓ１３、Ｓ１４）。次に、診断対象ＥＣＵのみ、サブ発振回路３１ａからマイコン３１へサブクロック信号を供給して（第二モード）（他のＥＣＵのマイコンには発振回路３２からクロック信号を供給）、ノイズレベルを測定する（Ｓ１５、Ｓ１６）。そして、これら２つのノイズレベルを比較することで、診断の対象とするＥＣＵのノイズを診断できる（Ｓ１７）。
【００５１】
また、以下のように、第一モードおよび第二モードを定めてもよい。
・第一モード：サブ発振回路３１ａからマイコン３１へサブクロック信号を供給する。
・第二モード：発振回路３２からマイコン３１へクロック信号を供給する。
【００５２】
上述の構成におけるノイズ診断処理は、まず、全てのＥＣＵにおいて、サブ発振回路３１ａからマイコン３１へサブクロック信号を供給して（第一モード）、ノイズレベルを測定する（Ｓ１３、Ｓ１４）。次に、診断対象ＥＣＵのみ、発振回路３２からマイコン３１へクロック信号を供給して（第二モード）（他のＥＣＵのマイコンにはサブ発振回路３１ａからサブクロック信号を供給）、ノイズレベルを測定する（Ｓ１５、Ｓ１６）。そして、これら２つのノイズレベルを比較することで、診断の対象とするＥＣＵのノイズを診断できる（Ｓ１７）。
【００５３】
実施例３の構成が、「制御ユニットは、制御ユニットを動作制御するための演算を行う演算部と、演算部に予め定められた第一周波数のクロック信号を供給するクロック信号供給部と、演算部に、第一周波数とは異なる第二周波数のサブクロック信号を供給するサブクロック信号供給部と、を含み、動作制御部は、演算部に、クロック信号とサブクロック信号のうちの一方が供給されるよう切替制御し、演算部にクロック信号が供給される動作モードと、演算部にサブクロック信号が供給される動作モードのうちのいずれか一方を第一モードとしたとき、他方を第二モードとする」ものである。
【００５４】
例えば、第一周波数が数メガヘルツ〜数十メガヘルツのとき、第一周波数あるいは第一周波数の分周周波数により発生する高調波が、ラジオ放送の周波数帯に含まれると、ラジオノイズとなる。クロック信号の周波数を低くすれば、高調波がラジオ放送の周波数帯に含まれないようにでき、ラジオノイズの発生を抑制できる（ノイズレベルをゼロに近づけることができる）。上記構成によって、制御ユニットを２つのクロック周波数で動作させることで、制御ユニットあるいは電源ケーブルを取り外すことなく、該制御ユニットのノイズレベルを測定できる。また、ラジオノイズが基準を満たすか否かを診断できる。
【００５５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００５６】
１  ノイズ診断システム
１０  診断ツール
１１  制御部（動作制御部、診断部）
１５、３５  切替回路（外部電源供給部）
Ｔｒ２、Ｔｒ２１  トランジスタ（外部電源供給部）
２０  ラジオ
２１  ラジオノイズ測定部
３０  ＥＣＵ（制御ユニット）
３１  マイコン（演算部）
３１ａ  サブ発振回路（サブクロック信号供給部）
３１ｂ  発振切替回路
３２  発振回路（クロック信号供給部）
３７  電源回路（内部電源回路）
３９  切替回路（内部電源供給部）
Ｔｒ３  トランジスタ（内部電源供給部）
Ｂ  バッテリー（外部電源）
【図１】
2016208270.tif 000003
【図２】
2016208270.tif 000004
【図３】
2016208270.tif 000005
【図４】
2016208270.tif 000006